(57)【要約】【課題】  被包装物の取り出しが容易で、立体的な商品や壊れ物の包装が可能で、吊下展示に適する包装体を開発する。【解決手段】  各々収納凹部の縁部に接合片を外側に向かって突設し、前記縁部の形状がほぼ等しい１対の収納半体Ａ、Ｂと、前記縁部の形状とほぼ等しい形状の穴を有する１対の保持シートを有する包装体である。前記１対の収納半体Ａ、Ｂを前記接合片を合わせて接合し、双方の収納凹部で形成される収納空間を確保し、その両側から前記１対の保持シートを、各々の穴に前記各々の収納半体の収納凹部をはめ込んで重ね合わせ、その間に前記接合片を挟持し、重ね合わせた１対の保持シートどうしを固定手段で固定する。【選択図】      図３
2005153957.tif 000002
【特許請求の範囲】
【請求項１】
各々収納凹部の縁部に接合片を外側に向かって突設し、前記縁部の形状がほぼ等しい１対の収納半体Ａ、Ｂと、前記縁部の形状とほぼ等しい形状の穴を有する１対の保持シートを有し、
前記１対の収納半体Ａ、Ｂを前記接合片を合わせて接合し、双方の収納凹部で形成される収納空間を確保し、その両側から前記１対の保持シートを、各々の穴に前記各々の収納半体の収納凹部をはめ込んで重ね合わせ、その間に前記接合片を挟持し、重ね合わせた１対の保持シートどうしを固定手段で固定することを特徴とする包装体
【請求項２】
請求項１の包装体において、前記１対の保持シートが１枚のシートを折り曲げたものであることを特徴とする包装体
【請求項３】
請求項１又は２の包装体において、前記１対の収納半体Ａ、Ｂが連結状態で一体成形されたものであることを特徴とする包装体
【請求項４】
請求項１〜３のいずれかの包装体において、前記１対の収納半体Ａ、Ｂが、いずれも透明プラスチックでなることを特徴とする包装体
【請求項５】
請求項１〜４のいずれかの包装体において、前記１対の保持シートが、吊下展示用の孔を有することを特徴とする包装体
【発明の詳細な説明】
【技術分野】
【０００１】
本発明は、食器、小型事務用品、小型玩具などのハンディーサイズの製品を包装するもので、特に販売店舗において吊り下げて展示するのに適した包装体に関する。
【背景技術】
【０００２】
図５は従来のこの種の包装体２０の説明図で、左側に正面図、右側に縦断面図を示す。包装体２０は台紙２１と収納体２２からなり、台紙２１は通常厚紙で、吊下孔２４を有する。収納体２２は肉薄の透明プラスチック製で、収納凹部２２ａの縁部に糊代２３を外側に向かって突設している。台紙２１に糊代２３を接着し、台紙２１と収納凹部２２ａで確保した収納空間２５に被包装物を収納する。吊下孔２４を販売店舗の吊り下げ用のバー等に挿通し、吊下展示が可能である。
【発明の開示】
【発明が解決しようとする課題】
【０００３】
上記従来の包装体は、構造が簡単で吊下展示に便利であるが、次のような問題点を有する。
（イ）被包装物の全重量を糊代２３における接着力で受けなければならないので、包装が破綻しないように、強力に接着しなければならず、したがって購入後に接着部を剥がして被包装物を取り出すのが容易でない。
（ロ）台紙２１が平面状であるので、あまり立体的な商品を包装することができない。
（ハ）台紙２１の強度が弱く、クッション性もないので、ガラス食器のような割れ物を包装することができない。台紙１１の強度を強くすると、被包装物の取り出しがますます困難になる。
【０００４】
本発明は、上記の問題点を解決し、被包装物の取り出しが容易で、立体的な商品や壊れ物の包装が可能で、吊下展示に適する包装体を開発することを課題としてなされたものである。
【課題を解決するための手段】
【０００５】
（構成１）本発明は、各々収納凹部の縁部に接合片を外側に向かって突設し、前記縁部の形状がほぼ等しい１対の収納半体Ａ、Ｂと、前記縁部の形状とほぼ等しい形状の穴を有する１対の保持シートを有し、前記１対の収納半体Ａ、Ｂを前記接合片を合わせて接合し、双方の収納凹部で形成される収納空間を確保し、その両側から前記１対の保持シートを、各々の穴に前記各々の収納半体の収納凹部をはめ込んで重ね合わせ、その間に前記接合片を挟持し、重ね合わせた１対の保持シートどうしを固定手段で固定することを特徴とする包装体である。
【０００６】
収納半体Ａ、Ｂの双方に収納凹部が形成されているので、収納空間を立体的に確保でき、きわめて立体的な商品を包装できる。被包装物の重量は保持シートの穴で受けるので、保持シートどうしの固定は強く行う必要がない。したがって、被包装物の取り出しが容易になる。収納半体の材質、肉厚、強度を適宜設定することで、割れ物の包装も可能となる。収納半体どうしは接着する必要がないので、強度を強くしても被包装物の取り出し易さに影響しない。
【０００７】
（構成２）また本発明は、前記構成１の包装体において、前記１対の保持シートが１枚のシートを折り曲げたものであることを特徴とする包装体である。
【０００８】
１対の保持シートを、１枚のシートを折り曲げて構成することで、包装体の組み立て、及びシートの固定が容易となる。
【０００９】
（構成３）また本発明は、前記構成１又は２の包装体において、前記１対の収納半体Ａ、Ｂが連結状態で一体成形されたものであることを特徴とする包装体である。
【００１０】
各収納半体を一体に成形することで、包装体の組み立てが容易となる。収納半体Ａ、Ｂの間にヒンジ部を形成し、容易に折り曲げ可能とすることが望ましい。
【００１１】
（構成４）また本発明は、前記構成１〜３のいずれかの包装体において、前記１対の収納半体Ａ、Ｂが、いずれも透明プラスチックでなることを特徴とする包装体である。
【００１２】
収納半体は、プラスチック製とすることで容易かつ安価に製造でき、透明とすることで、被包装物を容易に視認することができる。また、プラスチックは弾性に富むので、被包装物を衝撃から保護できる。
【００１３】
（構成５）また本発明は、前記構成１〜４のいずれかの包装体において、前記１対の保持シートが、吊下展示用の孔を有することを特徴とする包装体である。
【００１４】
吊下展示用の孔を設けることで、吊下孔を販売店舗の吊り下げ用のバー等に挿通し、吊下展示が可能となる。
【発明の効果】
【００１５】
本発明の包装体は、収納半体Ａ、Ｂの双方に収納凹部が形成されているので、きわめて立体的な商品を包装できる。被包装物の重量は保持シートの穴で受けるので、保持シートどうしの固定は強く行う必要がなく、被包装物の取り出しが容易となる。被包装物は完全に１対の収納半体内に収納されるので、落とした場合の強度及びクッション性を付与でき、割れ物の包装も可能となる。
【発明を実施するための最良の形態】
【００１６】
収納半体は、例えばポリエチレン、ポリプロピレンなどの安価なプラスチック製とすることができる。肉厚は、例えば０．１〜１ｍｍ程度に薄肉に形成可能である。収納凹部の形状は自由であり、収納半体ＡとＢとで異なる形状としてもよいが、縁部の形状は、接合片が重なる程度にほぼ等しくなければならない。接合片の幅は自由であるが、製造誤差や保持シートの変形などを考慮して３ｍｍ以上とすることが望ましい。接合片は必ずしも縁部の全周に設ける必要はない。
【００１７】
保持シートは、接合した収納半体を保持できる程度の剛性を有するシート状の素材であれば良く、例えば厚紙、プラスチックシートなどとすることができるが、製造コストや開封しやすさを考慮すると厚紙が最も好適である。保持シートに形成する穴は、収納半体Ａ、Ｂの縁部の形状とほぼ等しい形状とするが、「ほぼ等しい形状」とは、収納半体の収納凹部をはめ込むことができ、かつ、接合片を挟持できる形状を意味する。
【００１８】
保持シートどうしの固定手段は、接着剤、セロハンテープ、紙綴り用の針など、任意であるが、いずれも強固に固定する必要はない。接着剤の場合は、デンプン糊などの比較的接着力の弱い糊を使用でき、しかも、必ずしも保持シートの全周を接着する必要はない。また、セロハンテープや紙綴り用の針は、要部を固定すれば足りる。
【実施例】
【００１９】
図１は収納半体Ａ、Ｂの説明図（左側が正面図、右側が断面図）、図２は保持シート４ａ、４ｂの説明図（左側が正面図、右側が断面図）、図３は実施例の包装体１の断面図、図４は収納半体１０Ａ、１０Ｂの説明図（上側が正面図、下側が横断面図）である。
【００２０】
図１において、１対の収納半体ＡとＢとは全く同一の形状で、薄肉の透明プラスチックで形成され、半球状の収納凹部２の縁部の全周から、接合片３が外側に向かって突出形成されている。収納半体ＡとＢとを接合すると、双方の接合片３が完全に重なり合う。
【００２１】
図２において、１対の保持シート４ａ、４ｂは厚紙製で、１枚の厚紙を折曲部７で折り曲げてなる。保持シート４ａ、４ｂの双方には穴５及び吊下孔６が設けられている。穴５は収納半体Ａ、Ｂの縁部と同一形状（縁部の外径と同一の径）の円形穴となっている。
【００２２】
図３において、収納半体Ａ、Ｂを、各接合片３、３を合わせて接合し、双方の収納凹部２、２で形成される球形の収納空間８を確保する。そして、その両側から１対の保持シート４ａ、４ｂを、各々の穴５、５に前記各々の収納半体Ａ、Ｂの各収納凹部２、２をはめ込んで重ね合わせる。このとき、保持シート４ａ、４ｂの間に接合片３、３が挟持される。重ね合わせた１対の保持シート４ａ、４ｂどうしを固定手段で固定する。この場合は、保持シートの下辺のみを固定手段であるセロハンテープ９で固定している。
【００２３】
図４において、１対の収納半体１０Ａ、１０Ｂを一体成形した例を示す。収納半体１０Ａ、１０Ｂは、前記実施例の収納半体Ａ、Ｂとほぼ同一形状をなすが、ヒンジ部１１で連結しており、当該ヒンジ部１１で折り曲げ、球状に合わせることができる。同図において、符号２は収納凹部、３は接合片である。
【図面の簡単な説明】
【００２４】
【図１】収納半体Ａ又はＢの説明図である。
【図２】保持シート４ａ、４ｂの説明図である。
【図３】実施例の包装体１の断面図である。
【図４】収納半体１０Ａ、１０Ｂの説明図である。
【図５】従来の包装体２０の説明図である。
【符号の説明】
【００２５】
１  包装体
Ａ  収納半体
Ｂ  収納半体
２  収納凹部
３  接合片
４ａ  保持シート
４ｂ  保持シート
５  穴
６  吊下孔
７  折曲部
８  収納空間
９  セロハンテープ
１０Ａ  収納半体
１０Ｂ  収納半体
１１  ヒンジ部
２０  包装体
２１  台紙
２２  収納体
２３  糊代
２４  吊下孔
２５  収納空間
【図１】
2005153957.tif 000003
【図２】
2005153957.tif 000004
【図３】
2005153957.tif 000005
【図４】
2005153957.tif 000006
【図５】
2005153957.tif 000007